(57)【要約】【課題】装置を小型化することができ、かつ、容易に組み立てることができる撮像装置及びその組立方法を提供する。【解決手段】レンズユニット６０は前玉レンズ（第１レンズ群）１４が取り外された状態で外装ケース本体５０に組み付けられる。そして、外装ケース本体５０内の所定位置に組み付けられた後、前玉レンズ１４がレンズユニット６０に形成された前玉レンズ保持部６８に光学調整されながら取り付けられる。【選択図】      図５
2009145691.tif 000002
【特許請求の範囲】
【請求項１】
押出加工によって上下又は左右の両端が開口して形成された中空の外装ケース本体に対して、レンズ鏡筒の後端部に撮像素子が一体的に組み付けられたレンズユニットを前記開口部から押出方向に沿ってスライドさせて挿入することにより、前記レンズユニットが前記外装ケース本体内の所定位置に組み付けられる撮像装置において、
前記レンズユニットには、前記レンズ鏡筒の先端に第１群レンズを光学調整可能に保持する第１群レンズ保持部が形成され、
前記外装ケース本体には、該外装ケース本体内の所定位置に組み付けられた前記レンズユニットの前記第１レンズ群保持部に対向してレンズ開口部が形成され、
前記第１レンズ群は、前記レンズユニットが前記外装ケース本体内の所定位置に組み付けられた後、前記レンズ開口部から前記第１レンズ群保持部に嵌められ、光学調整されて前記第１レンズ群保持部に固定して取り付けられることを特徴とする撮像装置。
【請求項２】
前記外装ケース本体には、前記レンズ開口部が形成された面の内周面に押出方向に沿ってガイドレールが一体的に形成され、
前記レンズユニットのレンズ鏡筒には、該ガイドレールに嵌合される嵌合部が一体的に形成され、
前記レンズユニットは、前記外装ケース本体への挿入時に前記嵌合部を前記ガイドレールに嵌合させて挿入することを特徴とする請求項１に記載の撮像装置。
【請求項３】
前記外装ケース本体には、前記レンズ開口部が形成された面の内周面に押出方向に沿って帯状の溝部が形成され、前記レンズユニットの前記第１レンズ群保持部は、該溝部に嵌入されることを特徴とする請求項１又は２に記載の撮像装置。
【請求項４】
前記レンズユニットは、屈曲光学系で構成され、前記第１レンズ群保持部が、前記レンズ鏡筒の前面から突出して形成されることを特徴とする請求項３に記載の撮像装置。
【請求項５】
前記第１レンズ群が、前記第１レンズ群保持部と前記レンズ開口部とに保持されることを特徴とする請求項４に記載の撮像装置。
【請求項６】
押出加工によって上下又は左右の両端が開口して形成された中空の外装ケース本体に対して、レンズ鏡筒の後端部に撮像素子が一体的に組み付けられたレンズユニットを前記開口部から押出方向に沿ってスライドさせて挿入することにより、前記レンズユニットが前記外装ケース本体内の所定位置に組み付けられる撮像装置の組立方法において、
前記レンズユニットのレンズ鏡筒に形成された第１レンズ群保持部から第１レンズ群を取り外した状態で前記レンズユニットを前記外装ケース本体内の所定位置に組み付け、その後、前記外装ケース本体に形成されたレンズ開口部から前記第１レンズ群保持部に前記第１レンズ群を嵌め込み、光学調整して固定することを特徴とする撮像装置の組立方法。
【発明の詳細な説明】
【技術分野】
【０００１】
本発明は撮像装置及びその組立方法に係り、特に外装ケース本体が金属の押出加工によって筒状に形成された撮像装置及びその組立方法に関する。
【背景技術】
【０００２】
デジタルカメラ等の携帯電子機器は、通常、その外装ケースが前後又は上下に分割可能に形成されている。このような構成の携帯電子機器では、通常、基板等の内部構成部品は金属製の内部フレームに組み付けられ、この内部フレームを外装ケースで覆うことにより組み立てられる（たとえば、特許文献１参照）。
【０００３】
近年、この種の携帯電子機器の外装ケースの構成として、アルミ等の金属を押出加工して筒状に形成することが提案されている（たとえば、特許文献２参照）。このような筒状の外装ケースは、周囲に継ぎ目が生じないことから、優れた外観を提供することができ、また、剛性も確保することができるという利点がある。
【０００４】
ところで、このように外装ケースが筒状に形成された携帯電子機器では、別途、部品取り付け用の開口部が外装ケースに形成されない限り、基板等の内部構成部品は、外装ケースの両端に形成される開口部から外装ケース内に収容されることとなる。したがって、デジタルカメラでこのような外装ケースを採用した場合には、レンズユニットも外装ケースの両端に形成される開口部から外装ケース内に収容されることとなる。
【特許文献１】特開２００３−３０７８１６号公報
【特許文献２】特開２００６−１８５９６９号公報
【発明の開示】
【発明が解決しようとする課題】
【０００５】
しかしながら、外装ケースの両端に形成される開口部からレンズユニットを外装ケース内に収容すると、その収容時にレンズ鏡筒に無理な力（取付ストレス）が作用し、光軸のズレ等が生じるおそれがある。
【０００６】
一方、収容時にレンズ鏡筒に無理な力が作用しないように外装ケースを構成すると、外装ケースが大型化するという欠点がある。
【０００７】
本発明は、このような事情に鑑みてなされたもので、装置を小型化することができ、かつ、容易に組み立てることができる撮像装置及びその組立方法を提供することを目的とする。
【課題を解決するための手段】
【０００８】
請求項１に係る発明は、前記目的を達成するために、押出加工によって上下又は左右の両端が開口して形成された中空の外装ケース本体に対して、レンズ鏡筒の後端部に撮像素子が一体的に組み付けられたレンズユニットを前記開口部から押出方向に沿ってスライドさせて挿入することにより、前記レンズユニットが前記外装ケース本体内の所定位置に組み付けられる撮像装置において、前記レンズユニットには、前記レンズ鏡筒の先端に第１群レンズを光学調整可能に保持する第１群レンズ保持部が形成され、前記外装ケース本体には、該外装ケース本体内の所定位置に組み付けられた前記レンズユニットの前記第１レンズ群保持部に対向してレンズ開口部が形成され、前記第１レンズ群は、前記レンズユニットが前記外装ケース本体内の所定位置に組み付けられた後、前記レンズ開口部から前記第１レンズ群保持部に嵌められ、光学調整されて前記第１レンズ群保持部に固定して取り付けられることを特徴とする撮像装置を提供する。
【０００９】
請求項１に係る発明によれば、レンズユニットは第１レンズ群が取り外された状態で外装ケース本体に組み付けられる。そして、外装ケース本体内の所定位置に組み付けられた後、第１レンズ群が光学調整されながら第１レンズ群保持部に取り付けられる。これにより、外装ケース本体への組み付け時にレンズユニットに無理な力が作用して光学性能が変化したような場合であっても、第１レンズ群の取り付け時にこれを補正することができる。そして、このようにレンズユニットへの取付ストレスを考慮する必要がなくなる結果、外装ケース本体を可能な限り小型化することができ、かつ、レンズユニットの外装ケース本体への組み付けも容易にできる。
【００１０】
請求項２に係る発明は、前記目的を達成するために、前記外装ケース本体には、前記レンズ開口部が形成された面の内周面に押出方向に沿ってガイドレールが一体的に形成され、前記レンズユニットのレンズ鏡筒には、該ガイドレールに嵌合される嵌合部が一体的に形成され、前記レンズユニットは、前記外装ケース本体への挿入時に前記嵌合部を前記ガイドレールに嵌合させて挿入することを特徴とする請求項１に記載の撮像装置を提供する。
【００１１】
請求項２に係る発明によれば、レンズユニットは、外装ケース本体内に挿入する際、レンズ鏡筒に形成された嵌合部を外装ケース本体の内面に形成されたガイドレールに嵌合させて挿入する。これにより、レンズユニットは、ガイドレールにガイドされながら外装ケース本体内に挿入される。これにより、簡単かつ正確にレンズユニットを外装ケース本体に取り付けられる。また、外装ケース本体の内面に形成されるガイドレールは、押出方向（押出加工時に外装ケース本体が押し出される方向）に沿って形成されるため、外装ケース本体の押出加工時に同時に加工形成することができ、加工コストを削減することができる。
【００１２】
請求項３に係る発明は、前記目的を達成するために、前記外装ケース本体には、前記レンズ開口部が形成された面の内周面に押出方向に沿って帯状の溝部が形成され、前記レンズユニットの前記第１レンズ群保持部は、該溝部に嵌入されることを特徴とする請求項１又は２に記載の撮像装置を提供する。
【００１３】
請求項３に係る発明によれば、外装ケース本体の内面に押出方向に沿って帯状の溝部が形成される。外装ケース本体内に組み込まれるレンズユニットは、この溝部に第１レンズ群保持部が嵌入される。これにより、外装ケース本体の前後方向の厚みを薄くすることができる。また、溝部は押出方向に沿って形成されるため、外装ケース本体の押出加工時に同時に加工形成することができ、加工コストを削減することができる。
【００１４】
請求項４に係る発明は、前記目的を達成するために、前記レンズユニットは、屈曲光学系で構成され、前記第１レンズ群保持部が、前記レンズ鏡筒の前面から突出して形成されることを特徴とする請求項３に記載の撮像装置を提供する。
【００１５】
請求項４に係る発明によれば、レンズユニットが屈曲光学系で構成され、第１レンズ群保持部がレンズ鏡筒の前面から突出して形成される。この突出した第１レンズ群保持部を前記溝部に嵌入させることにより、外装ケース本体の前後方向の厚みをより薄くすることができる。
【００１６】
請求項５に係る発明は、前記目的を達成するために、前記第１レンズ群が、前記第１レンズ群保持部と前記レンズ開口部とに保持されることを特徴とする請求項４に記載の撮像装置を提供する。
【００１７】
請求項５に係る発明によれば、第１レンズ群が第１レンズ群保持部とレンズ開口部とに保持される。これにより、第１レンズ群保持部の突出量を削減することができ、外装ケース本体の前後方向の厚みをより薄くすることができる。
【００１８】
請求項６に係る発明は、前記目的を達成するために、押出加工によって上下又は左右の両端が開口して形成された中空の外装ケース本体に対して、レンズ鏡筒の後端部に撮像素子が一体的に組み付けられたレンズユニットを前記開口部から押出方向に沿ってスライドさせて挿入することにより、前記レンズユニットが前記外装ケース本体内の所定位置に組み付けられる撮像装置の組立方法において、前記レンズユニットのレンズ鏡筒に形成された第１レンズ群保持部から第１レンズ群を取り外した状態で前記レンズユニットを前記外装ケース本体内の所定位置に組み付け、その後、前記外装ケース本体に形成されたレンズ開口部から前記第１レンズ群保持部に前記第１レンズ群を嵌め込み、光学調整して固定することを特徴とする撮像装置の組立方法を提供する。
【００１９】
請求項６に係る発明によれば、レンズユニットは、第１レンズ群を取り外した状態でレンズユニットを外装ケース本体内の所定位置に組み付けられ、その後、光学調整されながら第１レンズ部が第１レンズ群保持部に取り付けられる。
【発明の効果】
【００２０】
本発明によれば、装置を小型化することができ、かつ、組み立てを容易に行うことができる。
【発明を実施するための最良の形態】
【００２１】
以下、添付図面に従って本発明に係る撮像装置及びその組立方法の好ましい実施の形態について説明する。
【００２２】
図１〜図４は、それぞれ本発明が適用されたデジタルカメラの一実施形態の外観構成を示す正面斜視図、背面斜視図、正面図、側面断面図（図３の４−４断面図）である。
【００２３】
同図に示すように、このデジタルカメラ１０の外装ケース１２は、前後方向の厚みの薄い矩形の箱状に形成されており、その前面には、撮影光学系の前玉レンズ（第１レンズ群）１４及びフラッシュ１６が設けられている。また、その上面には、シャッタボタン１８及び電源ボタン２０が設けられており、背面には、ディスプレイ２２、ズームボタン２４、再生ボタン２６、ファンクションボタン２８、十字ボタン３０、ＭＥＮＵ／ＯＫボタン３２、及び、キャンセルボタン３４、表示ボタン３６が設けられている。また、その片側の側面には、開閉自在なバッテリカバー３８が設けられており、その内側に図示しないバッテリ収容部とメモリカードスロットとが設けられている。
【００２４】
外装ケース１２は、左右の両端が開口して形成された中空の外装ケース本体５０と、その外装ケース本体５０の左右両端の開口部５０Ｒ、５０Ｌに取り付けられる右サイドカバー５２Ｒと左サイドカバー５２Ｌとで構成されている。
【００２５】
外装ケース本体５０は、金属（たとえば、アルミ合金やマグネシウム合金、チタン合金、ステンレス等）を押出加工することによって筒状に形成されている。したがって、その左右の両端面に平行な断面の投影形状は、どの位置においても均一に形成されている。
【００２６】
右サイドカバー５２Ｒと左サイドカバー５２Ｌは、それぞれ樹脂で板状に形成されており、その外周形状は、外装ケース本体５０の外周形状と同じ形状に形成されている。また、図５に示すように、その内側面には、それぞれ外装ケース本体５０の内周部に嵌合可能な突起部５２ｒ、５２ｌが形成されており、この突起部５２ｒ、５２ｌを外装ケース本体５０の両端の開口部５０Ｒ、５０Ｌの内周部に嵌合させて、外装ケース本体５０の両端の開口部５０Ｒ、５０Ｌに取り付けられる。
【００２７】
本実施の形態のデジタルカメラ１０の撮影光学系は、プリズムを利用した屈曲光学系で構成されており、そのレンズ鏡筒にＣＣＤ等が一体的に組み付けられたレンズユニット６０として構成されて、外装ケース本体内に収容配置されている。そして、その前玉レンズ１４が、外装ケース本体５０の前面に形成されたレンズ窓（レンズ開口部：図５参照）１４Ａから露出して配置されている。なお、このレンズユニット６０の構成については、後に詳述する。
【００２８】
フラッシュ１６は、キセノン管を光源として構成されており、その発光部が外装ケース本体５０に形成されたフラッシュ窓１６Ａに嵌め込まれて配置されている。
【００２９】
シャッタボタン１８は、いわゆる半押しと全押しが可能な二段ストローク式の押下ボタンで構成されており、そのキートップが外装ケース本体５０の上面に形成されたシャッタボタン開口部１８Ａ（図５参照）から突出して配置されている。デジタルカメラ１０は、このシャッタボタン１８が半押しされることにより、ＡＥ、ＡＦ等の撮影準備を行い、全押しされることにより、画像の撮影、記録を行う。
【００３０】
電源ボタン２０は、押下ボタンで構成されており、そのキートップが外装ケース本体５０の上面に形成された電源ボタン開口部２０Ａ（図５参照）から突出して配置されている。デジタルカメラ１０の電源のＯＮ／ＯＦＦを指示する。
【００３１】
ディスプレイ２２は、カラー液晶で構成されており、その表示部が外装ケース本体１２の背面に形成されたディスプレイ開口部に嵌め込まれて配置されている。このディスプレイ２２は、再生モード時に撮影済み画像の表示画面として使用されるほか、各種設定時に操作画面として利用される。また、撮影時にはＣＣＤで撮像された画像がスルー表示されて、電子ファインダとして使用される。
【００３２】
ズームボタン２４は、テレ方向へのズームを指示するズームテレボタンと、ワイド方向へのズームを指示するズームワイドボタンとで構成されており、それぞれそのキートップが外装ケース本体５０の背面に形成されたズームボタン開口部から突出して配置されている。撮影光学系は、このズームボタン２４が押下されることによりズーミングされる。
【００３３】
再生ボタン２６は、押下ボタンで構成されており、そのキートップが外装ケース本体５０の背面に形成された再生ボタン開口部から突出して配置されている。デジタルカメラ１０は、この再生ボタンが２６が押下されることにより、再生モードに切り替えられる。
【００３４】
なお、本実施の形態のデジタルカメラ１０は、電源ボタン２０で電源を投入すると、撮影モードの状態で起動する。
【００３５】
ファンクションボタン２８は、押下ボタンで構成されており、そのキートップが外装ケース本体５０の背面に形成されたファンクションボタン開口部から突出して配置されている。このファンクションボタン２８には、デジタルカメラ１０の状態に応じた機能が割り当てられる。たとえば、撮影モード時には、各種撮影機能の設定を行うための設定画面の呼び出しの機能が割り当てられ、再生モード時には、各種再生機能の設定を行うための設定画面の呼び出しの機能が割り当てられる。
【００３６】
十字ボタン３０は、上下左右の４方向へ押下が可能なリング状の押下ボタンで構成されており、そのキートップが外装ケース本体５０の背面に形成された十字ボタン開口部から突出して配置されている。この十字ボタン３０は、ディスプレイ２２を利用した各種設定時に操作画面上に表示されるカーソルの移動指示に用いられる他、各方向にデジタルカメラ１０の状態に応じた機能が割り当てられる。たとえば、撮影モード時には、右方向のキーにストロボモードの切り替え指示の機能が割り当てられ、左方向のキーにマクロモードの切り替え指示の機能が割り当てられる。また、再生モード時には、右方向のキーにコマ送りの指示の機能が割り当てられ、左方向のキーにコマ戻しの指示の機能が割り当てられる。
【００３７】
ＭＥＮＵ／ＯＫボタン３２は、押下ボタンで構成されており、そのキートップが十字ボタン３０の内周部から突出して配置されている。このＭＥＮＵ／ＯＫボタン３２は、各種設定を行うためのＭＥＮＵ画面（操作画面）の呼び出しに用いられるほか、各種設定時等に選択内容の確定の指示や、各種処理の実行の指示に用いられる。
【００３８】
キャンセルボタン３４は、押下ボタンで構成されており、そのキートップが外装ケース本体５０の裏面に形成されたキャンセルボタン開口部から突出して配置されている。このキャンセルボタン３４は、処理のキャンセルの指示に用いられる。
【００３９】
表示ボタン３６は、押下ボタンで構成されており、そのキートップが外装ケース本体５０の裏面に形成された表示ボタン開口部から突出して配置されている。この表示ボタン３６は、ディスプレイ２２の表示モード（撮影情報や電池残量等の表示のＯＮ／ＯＦＦ、グリッド線の表示のＯＮ／ＯＦＦ等）の切り替えの指示に用いられる。
【００４０】
図６、図７は、それぞれレンズユニット６０の構成を示す正面図と側面断面図である。
【００４１】
上記のように、本実施の形態の撮影光学系は、そのレンズ鏡筒にＣＣＤ等が一体的に組み付けられたレンズユニット６０として構成されている。
【００４２】
レンズ鏡筒６２は、図６、図７に示すように、矩形の箱状に形成された本体部６４と、その本体部６４の上面中央部に突出して形成されたプリズム収容部６６と、プリズム収容部６６の前面に形成された前玉レンズ保持部６８とで構成されており、このレンズ鏡筒６２内に撮影光学系を構成する前玉レンズ（第１レンズ群）１４、プリズム７０、第２レンズ群７２、第３レンズ群７４、絞り７６、第４レンズ群７８と、ＣＣＤ８０、及び、その駆動機構（図示せず）が収容される。
【００４３】
本体部６４は、上記のように、矩形の箱状に形成されている。第２レンズ群７２、第３レンズ群７４、絞り７６、第４レンズ群７８、ＣＣＤ８０、及び、レンズの駆動機構（図示せず）は、この本体部６４に収容される。
【００４４】
この本体部６４の前面には、レンズユニット挿入時に挿入のガイドとなる一対のガイド溝８２が横方向（＝光軸と直交する方向＝外装ケース本体５０へのレンズユニット６０の挿入方向＝外装ケース本体５０の押出方向）に所定の間隔をもって平行に形成されている。この一対のガイド溝８２は、外装ケース本体５０の内面に形成されたガイドレール８４に対応して形成されている。すなわち、図５に示すように、外装ケース本体５０の前面（前玉レンズ１４の設置面）の内面には、横方向（押出方向）に沿って一対のガイドレール８４が形成されており、ガイド溝８２は、この一対のガイドレール８４に嵌合可能に形成されている。レンズユニット６０は、外装ケース本体５０への挿入時、この一対のガイド溝８２を外装ケース本体５０の内面に形成されたガイドレール８４に嵌合させて挿入する。これにより、外装ケース本体５０に対してレンズユニット６０をスムーズに挿入することができる。
【００４５】
なお、このガイドレール８４は、ガイドレール８４は、外装ケース本体５０の押出加工時に一体的に形成される。
【００４６】
プリズム収容部６６は、背面側が傾斜した断面直角三角形の箱状に形成されており、本体部６４の上面中央部から突出して形成されている。プリズム７０は、このプリズム収容部６６に収容される。
【００４７】
前玉レンズ保持部６８は、リング状に形成されており、プリズム収容部６６の前面（レンズ鏡筒６２の先端に相当）に配置されて、本体部６４の前面から突出して設けられている。前玉レンズ１４は、この前玉レンズ保持部６８の内周部に保持される。
【００４８】
なお、前玉レンズ１４は、レンズユニット６０を外装ケース本体５０に組み付けた後、光学調整を行いながら前玉レンズ保持部６８に取り付けられる。この点については、後に詳述する。
【００４９】
また、このように前玉レンズ保持部６８は、本体部６４の前面から突出して設けられることから、図３〜図５に示すように、外装ケース本体５０の前面内側面には、この突出した前玉レンズ保持部６８を収容するための溝部９０が横方向（押出方向）に沿って帯状に形成される。
【００５０】
レンズユニット６０は、外装ケース本体５０への挿入時、そのガイド溝８２をガイドレール８４に嵌めるとともに、この前玉レンズ保持部６８を溝部９０に嵌めて、外装ケース本体５０に挿入する。
【００５１】
したがって、溝部９０は、レンズユニット６０の挿入時における前玉レンズ保持部６８の移動軌跡に沿って形成される。
【００５２】
このように、外装ケース本体５０の内面に前玉レンズ保持部６８を収容するための溝部９０を形成することにより、外装ケース本体５０内でレンズユニット６０を前方に詰めて設置することができるようになる。これにより、デジタルカメラ１０の全体的な厚みを薄くすることができる。
【００５３】
なお、この溝部９０もガイドレール８４と同様、外装ケース本体５０の押出加工時に外装ケース本体５０に一体的に形成される。
【００５４】
前玉レンズ保持部６８に取り付けられた前玉レンズ１４は、その光軸Ｌ１を外装ケース本体５０の前方に向けた状態で外装ケース本体５０の前面に形成されたレンズ窓１４の内側に位置する。
【００５５】
一方、プリズム収容部６６に収容されたプリズム７０は、この前玉レンズ保持部６８に保持された前玉レンズ１４の後方に配置される。
【００５６】
レンズ窓１４から入射した光は、前玉レンズ１４を通ってプリズム７０に入射し、このプリズム７０によって、その進行方向が真下に向けて９０度屈曲される。本体部６４に収容される第２レンズ群７２、第３レンズ群７４、絞り７６、第４レンズ群７８、及び、ＣＣＤ８０は、このプリズム７０によって屈曲された光軸Ｌ２上に第２レンズ群７２、第３レンズ群７４、絞り７６、第４レンズ群７８、ＣＣＤ８０の順で配置される。
【００５７】
第２レンズ群７２と第３レンズ群７４は、光軸Ｌ２上を移動可能に設けられている。この第２レンズ群７２と第３レンズ群７４は、ズームレンズ群を構成し、光軸Ｌ２上を互いに連動して移動することにより、撮影光学系の焦点距離を可変させる。本体部６４には、この第２レンズ群７２と第３レンズ群７４を光軸Ｌ２に沿って連動させて移動させるための図示しないズーム駆動機構が設けられている。
【００５８】
絞り７６は、アイリス絞りで構成されており、本体部６４に形成された図示しない絞り保持部に保持されて、第３レンズ群７４と第４レンズ群７８の間に設置されている。この絞り７６は、光軸Ｌ２上でその開口径を可変させることにより、ＣＣＤ８０への入射光量を変化させる。本体部６４には、この絞り７６を駆動するための図示しない絞り駆動機構が設けられている。
【００５９】
第４レンズ群７８は、第２レンズ群７２と第３レンズ群７４とは独立して、光軸Ｌ２上を移動可能に設けられている。この第４レンズ群７８は、フォーカスレンズ群を構成し、光軸Ｌ２上を移動することにより、撮影光学系の焦点位置を可変させる。本体部６４には、この第４レンズ群７８を光軸Ｌ２に沿って移動させるための図示しないフォーカス駆動機構が設けられている。
【００６０】
ＣＣＤ８０は、本体部６４の底面に形成されたＣＣＤ保持部８６に保持されており、撮影光学系によって結像された被写体の光学像を撮像する。
【００６１】
次に、以上のように構成されたレンズユニット６０の外装ケース本体５０への組み付け方法について説明する。
【００６２】
図８は、レンズユニット６０の外装ケース本体５０への組み付け手順を示すフローチャートである。
【００６３】
まず、レンズユニット６０の組み立てを行う（ステップＳ１０）。この際、前玉レンズ１４の取り付けを残して、レンズユニット６０を組み上げる（図９（ａ）参照）。
【００６４】
次に、組み上げられたレンズユニット６０の基本動作の検査を行う（ステップＳ１１）。すなわち、組み上げられたレンズユニット６０の各部が正しく動作するか否かをチェックする。これにより、不良品が組み立てられるのを未然に防止することができる。
【００６５】
次に、レンズユニット６０を外装ケース本体５０に組み付ける（ステップＳ１２）。すなわち、外装ケース本体５０の一方の開口部５０Ｒからレンズユニット６０を外装ケース本体内に挿入し、所定位置で固定する（図９（ｂ）参照）。
【００６６】
この際、レンズユニット６０は、そのレンズ鏡筒６２の前面に形成されたガイド溝８２を外装ケース本体５０の内面に形成されたガイドレール８４に嵌合させるとともに、その前玉レンズ保持部６８を外装ケース本体の内面に形成された溝部９０に嵌めて、外装ケース本体内に挿入する。これにより、レンズユニット６０は、ガイドレール８４にガイドされながら、外装ケース本体５０内にスライドして挿入される。
【００６７】
外装ケース本体５０内に挿入されたレンズユニット６０は、所定の取付位置、すなわち、その前玉レンズ保持部６８がレンズ窓１４Ａの同軸上に位置する位置で外装ケース本体５０に固定される。
【００６８】
なお、本例ではレンズユニット６０をビス９２でネジ止めして外装ケース本体５０に固定する。外装ケース本体５０の底面には、このレンズユニット６０をビス９２でネジ止めするための穴が所定位置に形成される。一方、レンズユニット６０には、この穴に通されたビス９２が螺合するネジ穴が形成される。
【００６９】
レンズユニット６０は、外装ケース本体５０の底面に形成された穴にビス９２を通し、そのビス９２をレンズユニット６０に形成されたネジ穴に螺合させることにより、外装ケース本体５０に固定される。そして、このビス９２でネジ止めされることにより、レンズユニット６０は、その前玉レンズ保持部６８がレンズ窓１４Ａの同軸上に配置される。
【００７０】
次に、レンズユニット６０の前玉レンズ保持部６８に前玉レンズ１４を取り付け、光学調整を行って固定する（ステップＳ１３）。
【００７１】
ここで、前玉レンズ１４は、レンズ窓１４Ａから前玉レンズ保持部６８に嵌め込んで取り付ける（図９（ｃ）参照）。この際、前玉レンズ１４は、ジグで保持して前玉レンズ保持部６８に取り付ける。そして、ジグで保持したまま、光軸の位置、傾きを調整して、撮影光学系の光学調整を行う。すなわち、撮影光学系の光軸のズレやアオリの修正等を行う。そして、調整が完了したところで、接着剤で固定する（図９（ｄ）参照）。
【００７２】
以上により、レンズユニット６０の組み付けが完了する。外装ケース本体５０は、この後、メイン基板やディスプレイユニット、フラッシュユニット、電源ユニット等、各種内部構成部品が組み付けられた後、左右両端の開口部５０Ｒ、５０Ｌにサイドカバー５２Ｒ、５２Ｌが取り付けられて、組み立てが完了する。
【００７３】
そして、このように組み立てられたデジタルカメラ１０は、レンズユニット６０の取り付け時に取付ストレスがかかって、光学特性が変化したような場合であっても、前玉レンズ１４の取り付け時にこれを補正することができるので、生産効率を向上させることができる。また、これによりレンズユニット６０の組み付けも容易に行うことができる。
【００７４】
また、本実施の形態のデジタルカメラ１０では、外装ケース本体５０へのレンズユニット６０の挿入時にガイドレール８４を利用して挿入するようにしているので、レンズユニット６０を正確な取付位置に簡単に取り付けることができる。また、このガイドレール８４も外装ケース本体５０の押出加工時に一体的に形成されるので、製造コストも低減することができる。
【００７５】
さらに、本実施の形態のデジタルカメラ１０では、外装ケース本体５０の内面に溝部９０が形成され、この溝部９０にレンズユニット６０の前面から突出した前玉レンズ保持部６８が収容されて、レンズユニット６０が外装ケース本体５０に取り付けられるため、外装ケース本体５０の薄型化（小型化）を図ることができる。また、この溝部９０も外装ケース本体５０の押出加工時に一体的に形成されるので、製造コストも低減することができる。
【００７６】
なお、本実施の形態のデジタルカメラ１０では、レンズユニット６０を外装ケース本体５０に組み付けた後、前玉レンズ保持部６８に前玉レンズ１４を取り付けて、撮影光学系の光学調整が行われるが、その光学調整の方法については、種々の方法を用いることができる。たとえば、前玉レンズ保持部６８の内周面に複数の段部を形成し、この段部に前玉レンズ１４のレンズ保持枠を当てる位置を変えることにより、光軸の位置、傾きを調整する方法や、光軸の位置、傾きを調整可能な調整部材を介して前玉レンズ１４を前玉レンズ保持部６８に取り付ける方法など、種々の公知の調整方法を用いることができる。
【００７７】
また、本例では前玉レンズ１４が、１つのレンズで構成されているが、複数のレンズを組み合わせて構成することもできる。
【００７８】
図１０は、本発明が適用されたデジタルカメラの第２の実施の形態の要部の構成を示す断面図である。
【００７９】
上記実施の形態のデジタルカメラでは、前玉レンズ１４が、レンズユニット６０に形成された前玉レンズ保持部６８に保持されるように構成されているが、本実施の形態のデジタルカメラでは、前玉レンズ１４が、レンズユニット６０と外装ケース本体５０とで保持されるように構成されている。
【００８０】
すなわち、図１０に示すように、前玉レンズ１４は、その後端部がレンズユニット６０に形成された前玉レンズ保持部６８に保持される一方、その先端部が外装ケース本体５０に形成されたレンズ窓６８に保持されて、レンズユニット６０に組み付けられる。
【００８１】
このため、外装ケース本体５０は、その前面内側面にレンズユニット６０の本体部６２が密着して取り付けられるとともに、そのレンズ窓１４Ａが前玉レンズ保持部６８の内径と同径に形成される。
【００８２】
このように前玉レンズ１４をレンズユニット６０と外装ケース本体５０の双方で保持する構成とすることにより、レンズユニット６０の前面に形成される突起部（前玉レンズ保持部）をなくす、又は、最小限に抑えることができ、外装ケース本体５０の薄型化を図ることができる。
【００８３】
なお、このように前玉レンズ１４をレンズユニット６０と外装ケース本体５０の双方で保持する構成とした場合も、前玉レンズ１４は、レンズユニット６０を外装ケース本体５０に組み付けた後、レンズユニット６０に取り付けられ、光学調整して固定される。
【００８４】
また、レンズユニット６０の前面が平坦に形成される場合には、外装ケース本体５０の内面に形成する溝部９０は不要となる。
【００８５】
なお、上記実施の形態では、左右両端が開口して形成された外装ケース本体、すなわち、横方向に押出加工して形成された外装ケース本体に本発明を適用した場合を例に説明したが、図１１に示すように、縦方向に押出加工して形成された外装ケース本体（上下両端が開口して形成された外装ケース本体）についても同様に本発明を適用することができる。
【００８６】
この場合、同図に示すように、レンズユニット６０は、外装ケース本体５０の上面（又は下面）に形成された開口部から外装本体５０内にスライド挿入される。
【００８７】
また、この場合、レンズユニット６０に形成されるガイド溝８２、及び、外装ケース本体５０に形成されるガイドレール８４は、上下方向（＝押出方向＝挿入方向）に沿って形成され、溝部９０も上下方向に沿って形成される。
【００８８】
また、上記実施の形態では、撮影光学系が屈曲光学系で構成されたレンズユニットに本発明を適用した場合を例に説明したが、図１２に示すように、屈曲光学系ではない通常の撮影光学系（光軸が屈曲しない光学系）で構成されたレンズユニットについても同様に本発明を適用することができる。
【００８９】
なお、同図は、いわゆるスイバル式のカメラボディに屈曲光学系ではない通常の撮影光学系で構成されたレンズユニットを組み込む場合について示している。
【００９０】
この場合、外装ケース本体５１は、ディスプレイや操作部が設けられる本体部５１Ａと、レンズユニットが取り付けられるレンズ部５１Ｂとで構成され、ジョイント部５１Ｃを介して一体的に連結される。ジョイント部５１Ｃは、その中心に設けられた回転軸を中心にレンズ部５１Ｂを本体部５１Ａに対して回転可能に連結する。
【００９１】
レンズユニット６１は、そのレンズ鏡筒６３の上端部に前玉レンズ取付部６９が形成され、外装ケース本体５１のレンズ部５１Ｂの側面に形成された開口部からレンズ部５１Ｂ内にスライド挿入される。
【００９２】
なお、この場合もレンズユニット６１は、前玉レンズ１４を取り付けずにレンズ部５１Ｂに組み付け、組み付けが完了した後、レンズ部５１の上面に形成されたレンズ窓１５Ａから前玉レンズ取付部６９に取り付け、光学調整を行って固定する。
【００９３】
また、上記実施の形態では、ズーム動作又はフォーカシング動作によってレンズ鏡筒の長さが変わらないレンズユニットに本発明を適用した場合を例に説明したが、いわゆる沈胴式のレンズユニットについても同様に本発明を適用することができる。
【００９４】
また、上記実施の形態では、本発明をデジタルカメラに適用した場合を例に説明したが、本発明の適用は、これに限定されるものではなく、他にカメラ付き携帯電話機等のデジタルカメラ機能が備えられた電子機器にも同様に適用することができる。
【図面の簡単な説明】
【００９５】
【図１】デジタルカメラの外観構成を示す正面斜視図
【図２】デジタルカメラの外観構成を示す背面斜視図
【図３】デジタルカメラの外観構成を示す正面図
【図４】デジタルカメラの外観構成を示す側面断面図（図３の４−４断面図）
【図５】デジタルカメラの組み立て展開図
【図６】レンズユニットの正面図
【図７】レンズユニットの側面断面図
【図８】レンズユニットの外装ケース本体への組み付け手順を示すフローチャート
【図９】レンズユニットの外装ケース本体への組み付け手順の説明図
【図１０】デジタルカメラの第２の実施の形態の要部の構成を示す断面図
【図１１】他の実施の形態のデジタルカメラの組み立て展開図
【図１２】他の実施の形態のデジタルカメラの組み立て展開図
【符号の説明】
【００９６】
１０…デジタルカメラ、１２…外装ケース、１４…前玉レンズ（第１レンズ群）、１４Ａ…レンズ窓（レンズ開口部）、５０…外装ケース本体、５０Ｒ、５０Ｌ…開口部、５２Ｒ…右サイドカバー、５２Ｌ…左サイドカバー５２Ｌ、６０…レンズユニット、６２…レンズ鏡筒、６４…本体部、６６…プリズム収容部、６８…前玉レンズ保持部、７０…プリズム、７２…第２レンズ群、７４…第３レンズ群、７６…絞り、７８…第４レンズ群、８０…ＣＣＤ、８２…ガイド溝、８４…ガイドレール、８６…ＣＣＤ保持部、９０…溝部
【図１】
2009145691.tif 000003
【図２】
2009145691.tif 000004
【図３】
2009145691.tif 000005
【図４】
2009145691.tif 000006
【図５】
2009145691.tif 000007
【図６】
2009145691.tif 000008
【図７】
2009145691.tif 000009
【図８】
2009145691.tif 000010
【図９】
2009145691.tif 000011
【図１０】
2009145691.tif 000012
【図１１】
2009145691.tif 000013
【図１２】
2009145691.tif 000014